(57)【特許請求の範囲】
【請求項１】
音声信号を記録する第１の記録領域と文字データを記録可能な第１及び第２のセクターを含む第２の記録領域とを有するディスクを記録再生するディスク記録再生装置において、前記第１及び第２のセクターのうちの一方のセクターに所定コードの文字データが記録されている場合、一方のセクターに記録されている前記文字データを読み込み前記所定のコードと異なるコードに変換し、変換後のコードで他方のセクターに記録する手段を備えたことを特徴とするディスク記録再生装置。
【請求項２】
音声信号を記録する第１の記録領域と文字データを記録可能な第１及び第２のセクターを含む第２の記録領域とを有するディスクを記録再生するディスク記録再生装置において、前記第１及び第２のセクターのうちの一方のセクターにカタカナ文字データが記録されている場合、一方のセクターに記録されている前記カタカナ文字データを読み込み、前記カタカナ文字データと同一内容のひらがな文字データに変換し、変換後のひらがな文字データを他方のセクターに記録する手段を備えたことを特徴とするディスク記録再生装置。
【請求項３】
音声信号を記録する第１の記録領域と文字データを記録可能な第１及び第２のセクターを含む第２の記録領域とを有するディスクを記録再生するディスク記録再生装置において、文字データの入力時、入力された文字データが漢字を含む場合、前記第１及び第２のセクターのうち一方のセクターに、漢字を含む文字データを記録すると同時に、他方のセクターには、漢字入力の際の読みがなに基づいて、前記漢字を含む文字データを、前記入力された文字データと同一内容であって前記漢字の読みがなを含む文字データに変換し、変換後の前記漢字の読みがなを含む文字データを記録する手段を備えたことを特徴とするディスク記録再生装置。
【発明の詳細な説明】
【０００１】
【発明の属する技術分野】
本発明はディスク記録再生装置に関する。
【０００２】
【従来の技術】
従来のディスク記録再生装置として、例えばＭＤ（ミニディスク）の記録再生装置がある。ＭＤディスクは、曲等の音声信号を記録する記録領域と、曲のタイトル等の音声信号に関連する文字データを記録できるＵＴＯＣ領域を有する。文字データはＵＴＯＣのセクター１及びセクター４に記録することができる。
このような従来の光ディスク記録再生装置として、例えば、カタカナ文字のキー入力によりＭＤのＵＴＯＣのセクター１及びセクター４に同時に同じＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）コードの英文字データとして記録し文字の表示の際、記録した英文字をカタカナに変換して表示するもの（特開平８−３６８６８号公報参照）や、セクター１またはセクター４に個々に異なった文字データを記録できる、例えば、セクター１にはカナ文字データ、セクター４にはひらがな文字データを記録したり、セクター１には読みデータ、セクター４には漢字データを記録したりすることができるもの（特開平６−３３８１８２号公報参照）があった。
【０００３】
しかし、前者のものは、実際にディスクに記録されている文字データはＡＳＣＩＩコードの英文字であり、英文字をカタカナ文字に変換する機能のない装置では、カタカナで文字を入力したにもかかわらず英文字でしか表示できなかった。また、後者のものは、セクター毎にいちいち手入力で文字データを入力しなければならなかった。
【０００４】
【発明が解決しようとする課題】
本発明の目的は、上記従来の問題を解決し、ディスクに記録されている文字データを有効に使用できるディスク記録再生装置を提供することにある。
【０００５】
【課題を解決するための手段】
本発明に係るディスク記録再生装置は、音声信号を記録する第１の記録領域と文字データを記録可能な第１及び第２のセクターを含む第２の記録領域とを有するディスクを記録再生するディスク記録再生装置において、前記第１及び第２のセクターのうちの一方のセクターに所定コードの文字データが記録されている場合、一方のセクターに記録されている前記文字データを読み込み前記所定のコードと異なるコードに変換し、変換後のコードで他方のセクターに記録する手段を備えたことを特徴とする。（請求項１）
【０００６】
また、本発明に係るディスク記録再生装置は、音声信号を記録する第１の記録領域と文字データを記録可能な第１及び第２のセクターを含む第２の記録領域とを有するディスクを記録再生するディスク記録再生装置において、前記第１及び第２のセクターのうちの一方のセクターにカタカナ文字データが記録されている場合、一方のセクターに記録されている前記カタカナ文字データを読み込み、前記カタカナ文字データと同一内容のひらがな文字データに変換し、変換後のひらがな文字データを他方のセクターに記録する手段を備えたことを特徴とする。（請求項２）
【０００８】
また、本発明に係るディスク記録再生装置は、音声信号を記録する第１の記録領域と文字データを記録可能な第１及び第２のセクターを含む第２の記録領域とを有するディスクを記録再生するディスク記録再生装置において、文字データの入力時、入力された文字データが漢字を含む場合、前記第１及び第２のセクターのうち一方のセクターに、漢字を含む文字データを記録すると同時に、他方のセクターには、漢字入力の際の読みがなに基づいて、前記漢字を含む文字データを、前記入力された文字データと同一内容であって前記漢字の読みがなを含む文字データに変換し、変換後の前記漢字の読みがなを含む文字データを記録する手段を備えたことを特徴とする。（請求項３）
【０００９】
【発明の実施の形態】
図１は、本発明に係るディスク記録再生装置の一実施例を示すブロック図である。
図１において、１はＭＤディスク、２はディスクモータ、３は光ピックアップ、４はヘッド、５は記録／再生信号処理部、６はＡ／Ｄコンバータ、７はＤ／Ａコンバータ、８は記録入力端子、９は再生出力端子、１０はマイクロコンピュータ等からなるシステムコントローラ、１１は表示部、１２はキー操作部である。
【００１０】
ＭＤディスク１は光ピックアップ３から照射されたレーザビームを反射し、その反射光を光ピックアップ３が受光することにより記録信号の再生が行われる。
【００１１】
記録時には、記録入力端子８に加えられた記録信号がＡ／Ｄコンバータ６でデジタル信号に変換されて、記録／再生信号処理部５に供給され、記録／再生信号処理部５はその信号を変調して信号処理し、記録用磁気ヘッド４に変調信号を印加する。
【００１２】
再生時には、記録／再生信号処理部５は、ＭＤディスク１から読み出された再生信号を復調して信号処理し、Ｄ／Ａコンバータ７に出力する。Ｄ／Ａコンバータ７は入力された信号をアナログ信号に変換し、再生出力端子９を介して後段のアンプ（図示しない）に出力する。
さらに、記録／再生信号処理部５は、ディスクモータ２や光ピックアップ３に対してサーボ回路（図示しない）を介してサーボ制御を行なっている。
【００１３】
表示部１１は、システムコントローラ１０の制御により、ＭＤディスク１のＵＴＯＣのセクター１またはセクター４に記録されている文字データを読み出して記録／再生信号処理部５で処理された文字を表示することができる。
キー操作部１２は、装置の各種動作を指令するための複数のキーからなり、通常の再生キー、記録キー、停止キー等の他に以下に説明する変換キーが含まれる。
【００１４】
上記の構成において、キー操作部１２の変換キーの操作によりセクター間の変換を行なう命令をシステムコントローラ１０に入力する。
この時、ＭＤディスク１のＵＴＯＣのセクター１または４のいずれか一方のセクターのみに文字データが既に入力されている場合、その文字データを他方のセクターに適合するコード変換して変換後の文字データを他方のセクターに記録する「セクター間変換処理」を行なう。
【００１５】
このセクター間変換処理は、文字データがセクター１に既に記録されている場合の「セクター１→セクター４変換」処理（モード１とする）と、文字データがセクター４に既に記録されている場合の「セクター４→セクター１変換」処理（モード２とする）とがある。
【００１６】
上記のセクター間変換処理動作を図２及び図３に示すフローチャートに基づいて説明する。
図２はモード１変換処理のフローチャートであり、まずＳ１で、ＭＤディスク１に記録されているＵＴＯＣのセクター１の文字データを読み込み、次いでＳ２で、セクター１内に文字データ無しか否かをシステムコントローラ１０が判別し、イエスなら作業を終了し、ノーならばＳ３に進む。
Ｓ３では、読み込んだＡＳＣＩＩコードによる文字データのコード変換（ＡＳＣＩＩ→シフトＪＩＳ変換）が可能な否かをシステムコントローラ１０が判別し、可能ならばＳ４で、各文字についてＡＳＣＩＩ→シフトＪＩＳ変換を実行し、不可能ならばＳ５で、代替え文字（例えばスペース）に変更する。
Ｓ４またはＳ５の後、Ｓ６で、シフトＪＩＳコードに変換した文字データをセクター４に書き込み、作業を終了する。
【００１７】
次に、図３はモード２変換処理のフローチャートであり、まずＳ１１で、ＭＤディスク１に記録されているＵＴＯＣのセクター４の文字データを読み込み、次いでＳ１２で、セクター４内に文字データ無しか否かを判別し、イエスなら作業を終了し、ノーならばＳ１３に進む。
Ｓ１３では、読み込んだシフトＪＩＳコードによる文字データのコード変換（シフトＪＩＳ→ＡＳＣＩＩ変換）が可能な否かをシステムコントローラ１０が判別し、可能ならばＳ１４で、各文字についてシフトＪＩＳ→ＡＳＣＩＩ変換を実行し、不可能ならばＳ１５で、代替え文字（例えばスペース）に変更する。
Ｓ１４またはＳ１５の後、Ｓ１６で、ＡＳＣＩＩコードに変換した文字データをセクター１に書き込み、作業を終了する。
【００１８】
このように、セクター１あるいはセクター４のいずれか一方に既に文字データが入力されている場合、その入力されている文字データを自動的にコード変換することにより、他のセクターの文字データとして有効に使用できる。
【００１９】
次に、キー操作部１２の変換キーの操作によりカタカナーひらがなのセクター間の変換を行なう命令をシステムコントローラ１０に入力した際、セクター１に既にカタカナ文字データが入力されている場合は、そのカタカナ文字データをひらがな文字データに変換してセクター４に記録する。
【００２０】
上記の変換処理動作を図４に示すフローチャートに基づいて説明する。
まずＳ２１で、セクター１の文字データを読み込み、次いでＳ２で、カタカナ文字データか否かを判別し、ノーならば作業を終了し、イエスならばＳ２３に進む。
Ｓ２３では、各文字についてカタカナ→ひらがな変換を実行し、次いでＳ２４で、変換後のひらがな文字データをセクター４に書き込み、作業を終了する。
【００２１】
このように、セクター１に既にカタカナ文字データが入力されている場合、その入力されているカタカナ文字データを自動的にひらがな変換することにより、セクター４の文字データとして有効に使用できる。
ここで、キー操作部１２の変換キーの操作によりカタカナーひらがなのセクター間の変換を行なう命令をシステムコントローラ１０に入力した際、セクター４に既に文字データが入力されている場合は、同様にして、そのひらがな文字データをカタカナ文字データに変換してセクター１に記録する。
【００２２】
次に、キー操作部１２の変換キーの操作等により文字データを表示する際は、セクター１及びセクター４の両方に文字データが存在する場合は、セクター４の文字データを優先して表示部１１に表示する。
【００２３】
上記の動作を図５に示すフローチャートに基づいて説明する。
まずＳ３１で、セクター４に文字データがあるか否かを判別し、イエスならばＳ３２に進み、セクター４の文字データを処理して表示部１１に表示し、作業を終了する。
Ｓ１の答がノーならばＳ３３に進み、セクター１に文字データがあるか否かを判別する。
Ｓ３３の答がイエスならばＳ３４に進み、セクター１の文字データを処理して表示部１１に表示し、作業を終了する。
Ｓ３３の答がノーならばＳ３５に進み、表示部１１に例えば「ＮＯ  ＴＩＴＬＥ」等を表示し、作業を終了する。
【００２４】
ＭＤディスク１のセクター４の文字データは、セクター１の文字データを含んだ上で漢字データを持つことができる。
よって、セクター４のデータがあれば、セクター４を自動的に優先して表示することで、付加価値の高い表示ができ、また、表示切換を行なう手間を省くことができる。
【００２５】
次に、キー操作部１２の変換キーの操作により漢字ー読みがなのセクター間の変換を行なう命令をシステムコントローラ１０に入力した際、日本語入力において、セクター４に漢字を入力する際の読みがなをセクター１の文字データに変換して利用する。
【００２６】
上記の動作を図６に示すフローチャートに基づいて説明する。
まずＳ４１で、セクター４に文字データを入力し、次いでＳ４２で、入力された文字データが漢字入力か否かを判別し、イエスならば、Ｓ４３で、対応する読みがなデータを読み出し、次いでＳ４４でＡＳＣＩＩコードに変換し、次いでＳ４５で、セクター１に読みがなデータをＡＳＣＩＩコードデータで書き込む。
Ｓ４３乃至Ｓ４５の作業と同時に、Ｓ４６で、漢字変換を実行し、次いでＳ４７で、シフトＪＩＳコードに変換し、次いでＳ４８で、セクター４に漢字データをシフトＪＩＳコードで書き込む。
【００２７】
一方、Ｓ４２の答がノーならば、Ｓ４９で、Ｓ４１の入力文字データをＡＳＣＩＩコードに変換し、次いでＳ５０で、セクター１にＡＳＣＩＩコードによる文字データを書き込む。
Ｓ４９乃至Ｓ５０の作業と同時に、Ｓ５１で、Ｓ４１の入力文字データをシフトＪＩＳコードに変換し、次いでＳ５２でセクター４に入力文字データをシフトＪＩＳコードで書き込む。
【００２８】
このように、入力文字データはセクター１及びセクター４に同時に記録されると共に、セクター４には漢字を含む文字データが記録され、セクター１には、セクター４と同一内容でかつ漢字を含まない文字データが記録されるので、例えば、セクターデータ記録者が難しい漢字を入力しそれ以外の者がその漢字を読めない場合でも、セクター１の文字データを読み出して表示部１１に表示させることによって読むことができる。
【００２９】
【発明の効果】
本発明によれば、ディスクに記録されている文字データを有効に使用できる。
【図面の簡単な説明】
【図１】本発明に係るディスク記録再生装置の一実施例を示すブロック図である。
【図２】図１のブロック図の動作を説明するフローチャートである。
【図３】図１のブロック図の動作を説明するフローチャートである。
【図４】図１のブロック図の動作を説明するフローチャートである。
【図５】図１のブロック図の動作を説明するフローチャートである。
【図６】図１のブロック図の動作を説明するフローチャートである。
【符号の説明】
１    ＭＤディスク
２    ディスクモータ
３    光ピックアップ
４    記録用磁気ヘッド
５    記録／再生信号処理部
６    Ａ／Ｄコンバータ
７    Ｄ／Ａコンバータ
８    記録入力端子
９    再生出力端子
１０  システムコントローラ
１１  表示部
１２  キー操作部
【図１】
0003559944.tif 000002
【図２】
0003559944.tif 000003
【図３】
0003559944.tif 000004
【図４】
0003559944.tif 000005
【図５】
0003559944.tif 000006
【図６】
0003559944.tif 000007